(57)【要約】【課題】集中豪雨などの浸水対策として簡単に設置できるとともに導入コストを低く抑えられるようにする。【解決手段】略Ｖ字状に形成した側壁板１１によって構成される止水壁１０に、略Ｖ字状に形成した２つの側壁板２１と、これら側壁板２１を連結する可撓板２５から構成されるし可撓止水壁２０を上から重ね、各々の止水壁の側壁板に設ける連結部１３に連結部材４０の係合スリット４１を嵌合することで強固に連結し、内部又は外部からの液体の流入出を防止する。側壁板２１の側端部内側に適宜手段にて固定される防水パッキン１５が、側壁板１１によって圧縮されることで、重ね合った連結箇所に隙間が生じることなく、当該箇所からの液体の流入出を防止し、更に各々の止水壁１０の接地面たるフランジ１２の下方にも防水パッキン１６を適宜手段にて固定することで、下方からの液体の浸水を防止することができる。【選択図】図１２
2010203158.tif 000002
【特許請求の範囲】
【請求項１】
液体の流入出を防止する止水壁であって、この止水壁は、側壁板を側面視略Ｖ字状に形成し、連結時に隣接する一方の止水壁の側壁板の上方から、隣接する他方の側壁板を重ね合わせることによって止水壁を相互に連結して成ることを特徴とする止水壁。
【請求項２】
略Ｖ字状の側壁板の一端を、該側壁板の傾斜と同じ角度に形成した傾斜部を有するＴ字連結用止水壁を、前記止水壁の側壁板に着脱可能としたことを特徴とする請求項１記載の止水壁。
【請求項３】
側壁板の内側下端に、側壁板が内側に撓むことを防止するための補強部を有することを特徴とする請求項１又は２記載の止水壁。
【請求項４】
前記補強部は、側壁板の内側下端の一方に回動自在に枢支される補強ロッドと、該補強ロッドを係止する補強ロッド受け部から構成されることを特徴とする請求項３記載の止水壁。
【請求項５】
液体の流入出を防止する止水壁であって、この止水壁は、
前後方向に湾曲させることができる可撓板と、
側面視略Ｖ字状に形成する側壁板と、該側壁板の左右端部の何れか一方を閉塞して前記可撓板を取り付けるための可撓板取付部とを有する接続部とで構成され、
連結時にこの止水壁の前記接続部の上方から、隣接する他の側壁板を重ね合わせることによって止水壁を相互に連結して成ることを特徴とする止水壁。
【請求項６】
Ｖ字状の側壁板の外側の一方若しくは両方の面に連結部を備え、隣接する２つの止水壁を、連結部材を連結部に嵌合して連結することを特徴とする請求項１から５の何れか１項記載の止水壁。
【請求項７】
前記連結部は係合爪を有する突起状に形成され、前記連結部材は少なくとも２つ以上の係合スリットを有する平板状に形成され、隣接する止水壁を相互に連結する際、各々の止水壁が備える連結部に前記連結部材の係合スリットに嵌合することを特徴とする請求項６記載の止水壁。
【請求項８】
前記側壁板の側端部の内側に防水素材である防水パッキンを装着し、この防水パッキンを圧縮させた状態で隣接する前記側壁板を重ね合わせたことを特徴とする請求項１から７の何れか１項記載の止水壁。
【請求項９】
前記止水壁は、接地する下端に防水素材である防水パッキンを装着したことを特徴とする請求項１から８の何れか１項記載の止水壁。
【発明の詳細な説明】
【技術分野】
【０００１】
本発明は、洪水、冠水などに際し家屋や建物の玄関口あるいは地下鉄や地下道の入口への浸水を防止するため、また、一定範囲を仕切り外部への液体の流出を防止するための止水壁に関する。
【背景技術】
【０００２】
近年、狭い地域内に時間当たり１００ミリを越えるような集中豪雨が多発しており、河川の決壊などによる家屋の浸水や都市部において地下鉄や地下道への浸水が問題となっている。このような水害事故の恐れが生じた場合には、通常、土嚢等を積んで水の侵入を阻止することが行われている。このような、土嚢として、特許文献１には、袋状に形成された透水性カバーで構成され、その透水性カバー内に吸水性高分子を有する吸水体を充填するとともに、前記透水性カバーの一部又は全部を覆設する不透水性フィルムを備え水土嚢が提案されている。特許文献２には、雨水検知手段の出力信号により作動して降下路を遮断し、地下への雨水の流入を防止する止水装置などが提案されている。
【０００３】
特許文献１に示す水土嚢は、透水性カバーの中に吸水性高分子を有する吸水体を内蔵しているので、浸水あるいは冠水の危険箇所に設置するだけで、吸水性高分子が水を吸収してゲル化し、これらの水によって膨潤した水土嚢同士でバリアを形成し、水漏れすることなく水の浸入を阻止することができるものであるが、一旦、使用した後、再利用することができず、一般家庭や小規模な店舗や工場などにおいてコスト的に不利であるとともに、水を吸収して止水用のバリアとすることから、初期の段階において、雨水などによって流れてしまうことが懸念され、水を吸収して安定化するまで、監視する必要があるなど、使い勝手が悪い。一方、特許文献２に示す地下への雨水流入防止装置は、地下への雨水の流入を防止するものであって、地下へと通じる降下路にワイヤにより吊り下げた止水体を昇降自在に配置し、モータによって駆動し、雨水検知手段によって、モータを制御することによって、止水装置は作動して地下への雨水の流入を阻止するものであるから、極めて導入コストが高いため、大規模な施設等では導入できても、小さな事業所や店舗、或いは個人の住宅等の小規模な施設や建物に普及させるのは導入コストの面で導入が困難であった。
【０００４】
また、これを解決するに当たり、本願出願人は特許文献３に示すように、過去に可撓性を有する側壁板をＵ字状に形成した止水壁を提案している。この止水壁によれば、側壁板の自由端を前後に広げることができ、複数の止水壁を連結することが可能であり、更に連結部と接地部に防水パッキンを取り付けることで、止水壁の設置箇所内部の浸水を防止することができる。また、再利用性、収納性に優れており、旧来用いられる土嚢などに比べて利便性が非常に高い。
【先行技術文献】
【特許文献】
【０００５】
【特許文献１】特開２００３−２０６２６号公報
【特許文献２】特開２００５−２８２１７２号公報
【発明の概要】
【発明が解決しようとする課題】
【０００６】
しかしながら本願出願人が提案した特許文献３に示す構造の止水壁は、複数の止水壁頂部に設けた円筒状の係止孔に係止棒を挿通し、更に隣接する止水壁の側壁板を相互に重ね合わせる必要があり、被災時の迅速な設置という観点では、設置の際に手間がかかってしまうという欠点があった。
【０００７】
本発明は上述した問題点に鑑みてなされたものであり、設置を迅速且つ容易に行うことができる構造を備え、緊急時において水の流入を確実に防止して家屋あるいは地下浸水を防止することができる止水壁を提供することを目的とする。
【課題を解決するための手段】
【０００８】
請求項１の止水壁は、液体の流入出を防止する止水壁であって、この止水壁は、側壁板を側面視略Ｖ字状に形成し、連結時に隣接する一方の止水壁の側壁板の上方から、隣接する他方の側壁板を重ね合わせることによって止水壁を相互に連結して成ることを特徴とする。
【０００９】
請求項１の構成により、止水壁を相互に連結する際、側面視略Ｖ字状であるため、一方の止水壁を地面に設置し、他方の止水壁を上から被せることで連結し、家屋や建物の玄関口あるいは地下鉄や地下道の入口を囲むように設置することで雨水をせき止めるバリアを構築し、集中豪雨などによる浸水を効果的に防いだり、水平方向に閉塞した領域を構築し、内部に液体を充填することを容易に行うことができる。
【００１０】
請求項２の止水壁は、請求項１記載の止水壁において、略Ｖ字状の側壁板の一端を、該側壁板の傾斜と同じ角度に形成した傾斜部を有するＴ字連結用止水壁を、前記止水壁の側壁板に着脱可能としたことを特徴とする。
【００１１】
請求項２の構成により、一列に並べた止水壁において、所望の箇所から垂直に屈曲させたいような場合に、当該箇所の止水壁の長手方向と垂直な方向にＴ字状に止水壁を伸ばすためのＴ字連結用止水壁を取り付けることで対応することが可能となる。
【００１２】
請求項３の止水壁は、請求項１又は２記載の止水壁において、側壁板の内側下端に、側壁板が内側に撓むことを防止するための補強部を有することを特徴とする。
【００１３】
請求項３の構成により、側壁板が水圧によって内側に撓むことを、補強部が側壁板の下端を支えることによって防止することができる。
【００１４】
請求項４の止水壁は、請求項３記載の止水壁において、前記補強部は、側壁板の内側下端の一方に回動自在に枢支される補強ロッドと、該補強ロッドを係止する補強ロッド受け部から構成されることを特徴とする。
【００１５】
請求項４の構成により、側壁板が水圧によって内側に撓むことを、補強ロッドが側壁板の下端を支えることによって防止することができる。また、補強ロッドを、枢支部を形成した側壁板側へ寄せることで、補強ロッドが、止水壁を収納するために重ねることを阻害しない。
【００１６】
請求項５の止水壁は、液体の流入出を防止する止水壁であって、この止水壁は、
前後方向に湾曲させることができる可撓板と、
側面視略Ｖ字状に形成する側壁板と、該側壁板の左右端部の何れか一方を閉塞して前記可撓板を取り付けるための可撓板取付部とを有する接続部とで構成され、
連結時にこの止水壁の前記接続部の上方から、隣接する他の側壁板を重ね合わせることによって止水壁を相互に連結して成ることを特徴とする。
【００１７】
請求項５の構成により、止水壁を設置する際に可撓板を湾曲させることで止水壁にカーブを形成することができ、より柔軟な止水壁の配置が可能となる。
【００１８】
請求項６の止水壁は、請求項１から５の何れか１項記載の止水壁において、Ｖ字状の側壁板の外側の一方若しくは両方の面に連結部を備え、隣接する２つの止水壁を、連結部材を連結部に嵌合して連結することを特徴とする。
【００１９】
請求項６の構成により、隣接する止水壁を強固に連結することができ、水圧等によって止水壁が押し流されたり、バラバラになったりすることを防止することができる。
【００２０】
請求項７の止水壁は、請求項６記載の止水壁において、前記連結部は係合爪を有する突起状に形成され、前記連結部材は少なくとも２つ以上の係合スリットを有する平板状に形成され、隣接する止水壁を相互に連結する際、各々の止水壁が備える連結部に前記連結部材の係合スリットに嵌合することを特徴とする。
【００２１】
請求項７の構成により、連結部材の係合スリットと連結部を嵌合することで隣接する止水壁の連結を容易に行うことができ、また、側壁板の傾斜に沿って板状の連結部材を用いるので、係止爪が連結部材を係合し、鉛直方向または水平方向の圧力に対して強く、連結部材が連結部から外れてしまうことを防止することができる。
【００２２】
請求項８の止水壁は、請求項１から７の何れか１項記載の止水壁において、前記止水壁は、側壁板端部の内側に防水素材である防水パッキンを装着し、この防水パッキンを圧縮させた状態で隣接する側壁板を重ね合わせたことを特徴とする。
【００２３】
請求項８の構成により、隣接する止水壁の間に生じる間隙を弾性素材によって埋めることができ、間隙からの液体の流入出を防止することができる。
【００２４】
請求項９の止水壁は、請求項１から８の何れか１項記載の止水壁において、前記止水壁は、接地する下端に防水素材である防水パッキンを装着したことを特徴とする。
【００２５】
請求項９の構成により、設置面の凹凸を防水パッキンにて吸収し、止水壁下端との間に間隙が生じることを防止することができ、設置面から液体の流入出することを防止することができる。
【発明の効果】
【００２６】
請求項１の止水壁によれば、液体の流入出を防止する止水壁であって、この止水壁は、側壁板を側面視略Ｖ字状に形成し、連結時に隣接する一方の止水壁の側壁板の上方から、隣接する他方の側壁板を重ね合わせることによって止水壁を相互に連結して成るものであるから、構造が簡単で製造コストも安価に抑えられるとともに、土嚢等と比較して軽量で取り扱いに便利であるとともに、連結時において、隣接する止水壁に被せるだけで、極めて簡単かつ迅速に連結することができる。また、止水壁を相互に連結して家屋や建物の玄関口あるいは地下鉄や地下道の入口を囲むことによって、集中豪雨などによる浸水を効果的に防ぐなどの、水やその他の液体の流入出を防止することができる。また、連結した止水壁の個数によって長さを調整することが可能であり、汎用性にも優れるとともに、上下に重ね合わせて保管できるので、保管場所の省スペース化も可能である
【００２７】
請求項２の止水壁によれば、請求項１記載の止水壁において、略Ｖ字状の側壁板の一端を、該側壁板の傾斜と同じ角度に形成した傾斜部を有するＴ字連結用止水壁を、前記止水壁の側壁板に着脱可能としたものであるから、止水壁の配置の形状の自由度が増し、様々な用途に適用することができる。例えば、止水壁を四角形に連結し、内部に水やその他液体を貯留するための簡易プールを形成することに用いることも可能となる。
【００２８】
請求項３の止水壁は、請求項１又は２記載の止水壁において、側壁板の内側下端に、側壁板が内側に撓むことを防止するための補強部を有するものであるから、止水壁を利用する際、側壁板下端が内側へ撓み隙間が生じ、水やその他液体の流入出を防止することができる。
【００２９】
請求項４の止水壁は、請求項３記載の止水壁において、前記補強部は、側壁板の内側下端の一方に回動自在に枢支される補強ロッドと、該補強ロッドを係止する補強ロッド受け部から構成されるものであるから、側壁板下端が内側へ撓み隙間が生じ、水やその他液体の流入出を防止することができる上に、止水壁を収納する際に止水壁同士を重ね合わせることを可能であり、収納場所の省スペース化と耐水圧性能の向上を同時に実現することができる。
【００３０】
請求項５の止水壁によれば、液体の流入出を防止する止水壁であって、この止水壁は、
前後方向に湾曲させることができる可撓板と、
側面視略Ｖ字状に形成する側壁板と、該側壁板の左右端部の何れか一方を閉塞して前記可撓板を取り付けるための可撓板取付部とを有する接続部とで構成され、
連結時にこの止水壁の前記接続部の上方から、隣接する他の側壁板を重ね合わせることによって止水壁を相互に連結して成るものであるから、可撓板を湾曲させることによって自由度の高い形状に止水壁を設置することができる。また、連結した止水壁の個数によって長さを調整することが可能であり、汎用性にも優れる。
【００３１】
請求項６の止水壁によれば、請求項１から５の何れか１項記載の止水壁において、Ｖ字状の側壁板の外側の一方若しくは両方の面に連結部を備え、隣接する２つの止水壁を、連結部材を連結部に嵌合して連結するものであるから、隣接する止水壁を強固に連結し、水圧等によって連結した止水壁が分離することを防止することができる。
【００３２】
請求項７の止水壁によれば、請求項６の止水壁において、前記連結部は係合爪を有する突起状に形成され、前記連結部材は少なくとも２つ以上の係合スリットを有する平板状に形成され、隣接する止水壁を相互に連結する際、各々の止水壁が備える連結部に前記連結部材の係合スリットに嵌合するものであるから、止水壁使用時の鉛直方向及び水平方向のずれによる隙間の発生による浸水を防止することができる。
【００３３】
請求項８の止水壁によれば、請求項１から７の何れか１項記載の止水壁において、前記止水壁は、側壁板端部の内側に防水素材である防水パッキンを装着し、この防水パッキンを圧縮させた状態で隣接する側壁板を重ね合わせたものであるから、止水壁を組み上げる際に、隣接する止水壁が相互に当接する端部に隙間が発生し、水やその他液体の流入出が起こる虞を低減させることができる。
【００３４】
請求項９の止水壁によれば、請求項１から８の何れか１項記載の止水壁において、前記止水壁は、接地する下端に防水素材である防水パッキンを装着したものであるから、止水壁の設置面に凹凸があるような場合でも、防水素材である防水パッキンがその凹凸に合わせて変形するため、止水壁と設置面の間に隙間が生じることを防ぎ、水やその他液体の流入出が起こる虞を低減させる。
【図面の簡単な説明】
【００３５】
【図１】本発明の実施例における、止水壁を示す三面図であり、（ａ）正面図、（ｂ）底面図、（ｃ）側面図である。
【図２】同上、補強ロッドを収納した状態の止水壁を示す斜視図である。
【図３】同上、補強ロッドを倒した状態の止水壁を示す斜視図である。
【図４】同上、可撓止水壁を示す三面図であり、（ａ）正面図、（ｂ）底面図、（ｃ）側面図である。
【図５】同上、可撓止水壁を示す斜視図である。
【図６】同上、Ｔ字連結用止水壁を示す三面図であり、（ａ）正面図、（ｂ）底面図、（ｃ）側面図である。
【図７】同上、Ｔ字連結用止水壁を示す斜視図である。
【図８】同上、連結部材を示す三面図であり、（ａ）正面図、（ｂ）底面図、（ｃ）側面図である。
【図９】同上、連結部材を示す斜視図である。
【図１０】同上、止水壁を連結部材によって連結する前の状態を示す一部拡大正面図である。
【図１１】同上、止水壁を連結部材によって連結した状態を示す一部拡大正面図である。
【図１２】同上、止水壁と可撓止水壁を連結部材によって連結した状態を示す斜視図である。
【図１３】同上、止水壁とＴ字連結用止水壁を連結部材によって連結した状態を示す斜視図である。
【発明を実施するための形態】
【００３６】
以下、本発明の具体的実施例について、添付図面を参照しながら説明する。なお、以下の実施態様は、本発明を具体化する際の一形態であって、本発明をその範囲内に限定するためのものではない。
【００３７】
図１〜図１３は本発明の一実施例を示すものであり、図１は本発明の実施例を示す止水壁の三面図であり、図２は図１に示す止水壁の補強ロッドを収納した状態を示す斜視図である。図３は、同じく図１に示す止水壁の補強ロッドを倒した状態を示す斜視図である。図４は可撓板を有する止水壁の三面図であり、図５は図４に示す止水壁の斜視図である。図６は図１に示す止水壁の側壁面に垂直方向に取り付けるＴ字連結用止水壁であり、図７は図６に示すＴ字連結用止水壁の斜視図である。図８は図１〜図７示す各々の止水壁を連結する連結部材を示す三面図であり、図９は連結部材を示す斜視図である。図１０及び図１１は連結部材を止水壁に取り付ける手順を示しており、図１０は取り付け前、図１１は取り付け後を示す一部拡大正面図である。図１２は、止水壁と可撓止水壁を連結した状態を示す斜視図であり、図１３は止水壁とＴ字連結用止水壁を連結した状態を示す斜視図である。
【００３８】
図１から図３は、直線に配置するための止水壁（以降、単に止水壁と称呼する）を示している。１０は止水壁である。１１は側壁板であり、１枚の金属板をＶ字状に折り曲げて形成する。１２は接地用のフランジであり、側壁版１１の端部に形成する。１３は連結部であり、後述の連結部材を嵌合するためのものである。１４は係止爪であり、連結部４に嵌合された連結部材が外れないように係止するためのものである。１５は防水パッキンであり、隣接する他の止水壁と連結する際、液体の流入を防止するためのものであって、適宜手段（例えば接着）によって側壁板１１の所定の位置に固定される。１６は同じく防水パッキンであり、止水壁を設置した際に設置面からの液体の流入を防止するためのものであり、防水パッキン１５と同様に適宜手段にてフランジ１２の下方に固定される。１７は後述のＴ字連結用止水壁を取り付け固定するための係止棒を挿入するための連結孔を有するＴ字連結部であり、中空の管状に形成され、適宜手段（例えば溶接等）によって側壁板１１の所定の位置に固定される。
【００３９】
１８ａは補強ロッドであり、側壁板１１の２つの下端が不用意に撓まないように補強するためのものである。補強ロッド１８ａはその一方の端部を枢支部１８ｂによって側壁板１１の内側の一方に回動自在に枢支される。また、止水壁１０を利用する際に補強ロッド１８ａの枢支されない他方の端部を係止させる補強ロッド受け部１８ｃを、側壁板１１の内側の他方に形成する。止水壁を収納する際は、図２に示すように補強ロッド１８ａを枢支部１８ｂ側に寄せることで、止水壁を重ねて収納することを可能にし、止水壁を利用する際は、図３に示すように補強ロッド１８ａを水平にして補強ロッド受け部１８ｃに補強ロッドを係止させることで、側壁板１１の下端が撓むことを防止する。
【００４０】
図４及び図５は、可撓板を有する止水壁（以降、可撓止水壁と称呼する）を示している。上記止水壁と同一部分には同一符号を付し、その詳細な説明を省略する。２０は可撓止水壁である。２１は側壁板である。側壁板２１の側面の一方が閉塞され、可撓板取付部２２が形成される。２５は可撓板であり、左右の端部が可撓板取付部２２に取り付けられる。
【００４１】
図６及び７は、図１から図３に示す止水壁の側面に取り付け、Ｔ字状に連結することを目的とするＴ字連結用止水壁を示している。上記止水壁と同一部分には同一符号を付し、その詳細な説明を省略する。３０はＴ字連結用止水壁である。３１は側壁板であり、端部の一方に、側壁板３１の傾斜角度θ（止水壁１０、可撓止水壁２０の側壁板も同様の角度とする）と同じ角度θによって形成した傾斜部を３２有する。傾斜部３２近傍には連結孔３３が形成されたＴ字連結部３４を備えており、止水壁１０の側壁板と連結するための係止棒３５を挿通することで。
【００４２】
図８及び図９は、連結部材を示している。４０は連結部材であり、金属素材によって構成され、連結部１３と嵌合するための係合スリット４１とが形成される。４２は、連結の際に連結部材？の取り付けを容易にし、連結した止水壁の総重量の向上のための押圧フィンである。
【００４３】
図１０及び図１１は、図１から図３に示される止水壁を２つ、相互に連結した状態を示しており、図１０は連結部材４０を取り付ける前、図１１は連結部材４０を取り付けた状態を示している。止水壁１０ａ及び止水壁１０ｂは、共に図１から図３に示す止水壁を示すものである。止水壁１０ａ、１０ｂの一端縁部には、止水壁１０ａ、１０ｂの内面側に位置して防水パッキン１５が鉛直方向に適宜手段、例えば接着固定され、この防水パッキン１５を覆うように、止水壁１０ａ、１０ｂを連結することによって、止水壁１０ａ、１０ｂによって雨水等の侵入を防止する障壁（バリア）を構築する。止水壁止水壁１０ａ、１０ｂの側壁板１１は、止水壁１０ａ、１０ｂの一端縁部に設けた防水パッキン１５を介して隣接する一方の止水壁１０ａ又は止水壁１０ｂを重ね合わせると、止水壁１０ａ又は止水壁１０ｂの防水パッキン１５が挟まれて、止水壁１０ａの自重によって防水パッキン１５が圧縮する。このように、防水パッキン１５を圧縮させて、止水壁１０ａ、１０ｂを連結することによって、防水パッキン１５によって止水壁１０ａ、１０ｂの隙間が塞がれる。続いて、止水壁１０ａ、１０ｂの双方の連結部１３に連結部材４０の係合スリット４１を嵌合させる。連結部材４０は側壁板１１の傾斜に沿って嵌合されるため、係止爪１４によって鉛直方向、水平方向のズレを防止することができる。また、止水壁１０ｂの下端の防水パッキン１６が当接部にて変形することで、設置面と連結した箇所との間に隙間が生じることを防ぐことができる。また、図１１には、係合スリット４１の外側を用いて連結した状態を示しているが、係合スリット４１の内側を用いることで止水壁全体の長さの微調整を行うことができ、連結した止水壁全体の長さを柔軟に選択することができる。
【００４４】
図１２は、止水壁１０と可撓止水壁２０を連結した状態を示している。連結の手順は上述の止水壁１０を連結した場合と同様に、連結部１３に連結部材４０の係合スリット４１を嵌合させて連結する。このような構成により、設置場所の形状がカーブ状であっても、可撓板２５を湾曲させることで、対応することができる。
【００４５】
図１３は、止水壁１０とＴ字連結用止水壁３０を連結した状態を示している。まず止水壁１０の側面の所定位置にＴ字連結用止水壁の傾斜部３１を当接させる。止水壁１０が有するＴ字連結部１７の図示しない連結孔と、Ｔ字連結用止水壁３０が有するＴ字連結部３３の連結孔３４とに、係止棒３５を挿通させ、止水壁１０にＴ字連結用止水壁３０を連結する。このような構成により、設置場所の形状に９０度折れ曲がるような箇所が有った場合であっても対応することができる。
【００４６】
上記のように可撓止水壁２０やＴ字連結用止水壁を連結することが可能であるため、設置場所の形状に柔軟に対応することができる。また異なる用途として、例えば液体の貯留をするための簡易プールを容易に形成することができる。
【００４７】
以上のように構成される本実施例は、止水壁１０、可撓止水壁２０、Ｔ字連結用止水壁３０の側壁板１１、２１，３１の自由端部となる下端部を開いて隣接する止水壁１０の一端縁を、防水パッキン１５を介して重ね合わせた後、隣接する止水壁１０（又は止水壁２０、Ｔ字連結用止水壁３０）の連結部１３に連結部材４０の係合スリット４１を嵌合することによって、隣接する止水壁を相互に連結する。そして、連結した止水壁によって家屋や建物の玄関口あるいは地下鉄や地下道の入口を囲むようにコ字型に配置することによって、屋内への雨水の侵入を防いで浸水を防止することができる。更に、相互に連結した止水壁の間には圧縮した防水パッキン１５が介在してあるので、止水壁の隙間から内部に洩れる雨水を防水パッキン１５で効果的に遮断でき、更に、接地部分からの漏水をフランジ１２の下方に設けた防水パッキン１６によって遮断でき、水洩れを効果的に防ぐことが可能である。しかも、各々の止水壁は構造が簡単で製造コストも安価に抑えられるとともに、軽量で取り扱いに便利である。
【００４８】
さらに、連結時において、側壁板１１（又は２１，３１）の下端部を開いて弾性復元力によって隣接する止水壁に被せ、連結部材４０を上方から連結部１３に嵌合するだけで止水壁を相互に連結することで強固に連結固定することができ、止水壁の連結作業も極めて簡単かつ迅速に行える。また、補強ロッド１８ａによって側壁板１１が水圧によって内側に撓むことを防止することができ、大きな水圧にも耐えることができる。さらに、複数の止水壁を組み合わせて家屋や建物の玄関口あるいは地下鉄や地下道の入口を囲むことから、使用する止水壁の数を増減することによって、玄関口あるいは入口の大きさに合わせて連結した止水壁の全長を調整することが可能であり、更に連結部材４０に係合スリット４１を複数形成しており、連結の際、何れの係合スリット４１を用いるか適宜選択することで、連結した止水壁全体の長さの微調整も行うことができ汎用性にも優れる。また、設置場所の形状が複雑であっても、可撓止水壁２０及びＴ字連結用止水壁３０によって、直角又は円弧状に配置することが可能である。また、止水壁１０及びＴ字連結用止水壁３０に関しては、上下に重ね合わせて保管できるので、保管場所の省スペース化も可能である。また、水が引いた後、連結した止水壁を分解して収納し、次回災害時には再度連結することで繰り返し使用することができるから、合理的であり、導入コストも低く抑えられるから、小さな事業所や店舗、或いは個人の住宅等の小規模な施設や建物において、集中豪雨などの浸水対策として極めて有効的である。
【００４９】
上記連結した止水壁の家屋における浸水防止以外の適用例として、可撓止水壁２０やＴ字連結用止水壁３０を用いて利用者が所望の箇所を囲うように円状・方形状に連結することで、液体の貯留プールを形成することも可能である。例えば止水壁１０及びＴ字連結用止水壁３０を組み合わせて平面視略ロ字状に連結することで仮設風呂・仮設プールといった用途に用いることも可能であり、大規模災害発生時の避難場所において、略ロ字状に連結した止水壁１０及びＴ時連結用止水壁３０の内側をビニールシート等で覆うことで内部に湯を張ることができ、被災者に仮設風呂を提供したり、漏水箇所を取り囲むように止水壁１０及びＴ時連結用止水壁３０を設置することで浸水被害を最小限に抑えたりと、多様な利用形態が考えられる。その際、連結する止水壁の種類や数、連結部材４０の係合スリット４１の微調整を行うことで、設置場所の面積や、貯水量に応じた柔軟に対応することができる。
【００５０】
また、止水壁の他の適用例として、可撓止水壁２０を用いることで車道等カーブの多い場所であっても、カーブのＲに合わせて隔壁を形成することができる。例えば車道に水が流入することを防ぐ場合でも、車道の形に沿って止水壁１０及び可撓止水壁２０を連結することができ、車道を通行する車両の妨げにならずに簡単に止水壁を設置することができる。
【００５１】
以上、本発明の一実施例を詳述したが、本発明は前記実施例に限定されるものでなく、本発明の要旨の範囲内で種々の変形実施が可能である。例えば、各々の止水壁の材質として合成樹脂によって一体成形してもよく、各々の止水壁及び防水パッキン１５・１６、及び連結部１３、係止爪１４、連結部材４０、Ｔ字連結部１７・３４、係止棒３５等の材質は適宜設定すればよい。また、各図面において連結部１３は上下に２組配置するよう示したが、これに限定せず、止水壁の高さに併せて１つ又は３つ以上配置しても良い。また、可撓止水壁２０の側壁板２１にＴ字連結部１７を形成し、Ｔ字連結用止水壁３０を取り付け可能に構成したとしても何ら問題ない。また、図１〜図３において、補強ロッド１８ａ、枢支部１８ｂ、補強ロッド受け部１８ｃを１組として示したが、これに限定せず、止水壁の長さに併せて複数組具備してもよい。
【符号の説明】
【００５２】
１０、１０ａ、１０ｂ  止水壁
１１、２１、３１    側壁板
１２    フランジ
１３    連結部
１４    係止爪
１５、１６  防水パッキン
１７    Ｔ字連結部
１８ａ  補強ロッド
１８ｂ  枢支部
１８ｃ  補強ロッド受け部
２０    可撓止水壁（止水壁）
２２    可撓板取付部
２５    可撓板
３０    Ｔ字連結用止水壁
３２    傾斜部
３３    Ｔ字連結部
３４    連結孔
４０    連結部材
４１    係合スリット
４２    押圧フィン
【図１】
2010203158.tif 000003
【図２】
2010203158.tif 000004
【図３】
2010203158.tif 000005
【図４】
2010203158.tif 000006
【図５】
2010203158.tif 000007
【図６】
2010203158.tif 000008
【図７】
2010203158.tif 000009
【図８】
2010203158.tif 000010
【図９】
2010203158.tif 000011
【図１０】
2010203158.tif 000012
【図１１】
2010203158.tif 000013
【図１２】
2010203158.tif 000014
【図１３】
2010203158.tif 000015